【手続補正書】
【提出日】平成28年8月29日(2016.8.29)
【手続補正１】
【補正対象書類名】特許請求の範囲
【補正対象項目名】全文
【補正方法】変更
【補正の内容】
【特許請求の範囲】
【請求項１】
システムであって、
少なくとも１つのプロセッサと、
命令が記憶された少なくとも１つの非一時的コンピュータ可読記憶媒体であって、該命令は、前記少なくとも１つのプロセッサによって実行されるとき、前記システムに
ユーザと１人または複数の共同ユーザとの間で交換された複数の電子メッセージを含む通信スレッドと、メッセージ入力コントロール・エリアとを含むメッセージング・グラフィカル・ユーザ・インターフェースを提供させ、
前記メッセージ入力コントロール・エリアから第１のメッセージ入力コントロールの選択を検出させ、
前記第１のメッセージ入力コントロールの前記選択に応答して、タッチ・スクリーン・ディスプレイ・キーボードを提供させ、
前記タッチ・スクリーン・ディスプレイ・キーボードを介してメッセージに対するメッセージ入力を受け取らせ、
前記メッセージ入力に応答して、前記メッセージ入力を受け取っている間に、前記通信スレッド内に位置するメッセージ入力要素を提供させ、
前記少なくとも１つのプロセッサにより、前記メッセージ入力を受け取っている間に、前記通信スレッド内の該メッセージ入力要素内にメッセージを登録させる、前記少なくとも１つの非一時的コンピュータ可読記憶媒体と
を備えるシステム。
【請求項２】
前記少なくとも１つのプロセッサによって実行されるとき、前記システムに、前記メッセージ入力を受け取っている間に、増大したサイズのメッセージを収容するように前記メッセージ入力要素をサイズ変更させる命令をさらに含む、請求項１に記載のシステム。
【請求項３】
前記メッセージ入力要素が、テキスト吹き出しを含む、請求項１に記載のシステム。
【請求項４】
前記少なくとも１つのプロセッサによって実行されるとき、前記システムに、前記メッセージ入力要素内に登録された前記メッセージの送信を反映するように、前記メッセージ入力要素の特性を変更させる命令をさらに含み、前記メッセージ入力要素の特性を変更することが、前記メッセージ入力要素の色、位置、サイズ、フォント、または向きのうちの１つまたは複数を変更することを含む、請求項１に記載のシステム。
【請求項５】
前記少なくとも１つのプロセッサによって実行されるとき、前記システムに、前記メッセージ入力要素内への前記メッセージの登録を反映するように、前記メッセージ入力要素の前記特性を変更させる命令をさらに含む、請求項４に記載のシステム。
【請求項６】
前記メッセージ入力要素内への前記メッセージの登録を反映するように、前記メッセージ入力要素の前記特性を変更することが、前記メッセージ入力要素を第１の色から第２の色に変更することを含み、
前記メッセージ入力要素内に登録された前記メッセージの送信を反映するように、前記通信スレッド内の前記メッセージ入力要素の前記特性を変更することが、前記メッセージ入力要素を前記第２の色から第３の色に変更することを含む、請求項５に記載のシステム。
【請求項７】
前記メッセージ入力要素の前記特性を変更することが、前記メッセージ入力要素を前記通信スレッド内のメッセージに変換することを含む、請求項４に記載のシステム。
【請求項８】
前記少なくとも１つのプロセッサによって実行されるとき、前記システムに、前記メッセージ入力コントロール・エリアから第２のメッセージ入力コントロールの選択に応答して前記タッチ・スクリーン・ディスプレイ・キーボードを除去させる命令をさらに含む、請求項１に記載のシステム。
【請求項９】
前記少なくとも１つのプロセッサによって実行されるとき、前記システムに、
前記メッセージ入力要素内に登録された前記メッセージの送信の前に、前記メッセージ入力コントロール・エリアから第２のメッセージ入力コントロールの選択を検出させ、
該第２のメッセージ入力コントロールの該選択に応答して、前記メッセージ入力要素を前記通信スレッドから除去させる命令をさらに含む、請求項１に記載のシステム。
【請求項１０】
前記第２のメッセージ入力コントロールは、写真入力コントロール、ファイル入力コントロール、記号入力コントロール、または記録入力コントロールのうちの１つまたは複数を含む、請求項９に記載のシステム。
【請求項１１】
方法であって、
メッセージング・グラフィカル・ユーザ・インターフェースを提供する工程と、該メッセージング・グラフィカル・ユーザ・インターフェースは、ユーザと１人または複数の共同ユーザとの間で交換された複数の電子メッセージを含む通信スレッドと、１つまたは複数のメッセージ入力コントロールのパレットを含むメッセージ入力コントロール・エリアとを含み、
１つまたは複数のメッセージ入力コントロールの該パレットから第１のメッセージ入力コントロールの選択を検出する工程と、
該第１のメッセージ入力コントロールの該選択に応答して、タッチ・スクリーン・ディスプレイ・キーボードを提供する工程と、
前記タッチ・スクリーン・ディスプレイ・キーボードを介してユーザからのメッセージに対するメッセージ入力を受け取る工程と、
前記メッセージ入力に応答して、前記メッセージ入力を受け取っている間に、前記通信スレッド内にメッセージ入力要素を提供する工程と、
少なくとも１つのプロセッサが、前記メッセージ入力を受け取っている間に、該通信スレッド内の該メッセージ入力要素内に該メッセージを登録する工程と
を含む方法。
【請求項１２】
第２のメッセージ入力コントロールの選択に応答して、前記メッセージング・グラフィカル・ユーザ・インターフェースから前記タッチ・スクリーン・ディスプレイ・キーボードを、前記通信スレッドから前記メッセージ入力要素を除去する工程をさらに含む、請求項１１に記載の方法。
【請求項１３】
前記タッチ・スクリーン・ディスプレイ・キーボード及び前記メッセージ入力要素を除去した後、前記第１のメッセージ入力コントロールの選択を検出する工程と、
該第１のメッセージ入力コントロールの該選択に応答して、
前記メッセージを含む前記メッセージ入力要素を前記通信スレッド内に提供し、前記タッチ・スクリーン・ディスプレイ・キーボードを前記メッセージング・グラフィカル・ユーザ・インターフェース内に提供する工程と
をさらに含む、請求項１２に記載の方法。
【請求項１４】
前記第２のメッセージ入力コントロールは、写真入力コントロール、ファイル入力コントロール、記号入力コントロール、または記録入力コントロールのうちの１つまたは複数を含む、請求項１３に記載の方法。
【請求項１５】
前記メッセージ入力要素が、テキスト吹き出しを含む、請求項１２に記載の方法。
【請求項１６】
前記メッセージ入力要素内に登録された前記メッセージを送信する工程と、
前記メッセージ入力要素内に登録された前記メッセージの送信を反映するように、前記通信スレッド内の前記メッセージ入力要素の特性を変更する工程と
をさらに含む、請求項１１に記載の方法。
【請求項１７】
前記メッセージ入力要素内に登録された前記メッセージの送信を反映するように前記メッセージ入力要素の特性を変更する工程が、前記メッセージ入力要素をメッセージに変換することを含み、該メッセージは前記通信スレッド内にある、請求項１６に記載の方法。
【請求項１８】
コンピュータ実行可能な命令が記憶された非一時的コンピュータ可読記憶媒体であって、該コンピュータ実行可能な命令は、プロセッサによって実行されるとき、コンピュータ・システムに、
ユーザと１人または複数の共同ユーザとの間で交換された複数の電子メッセージを含む通信スレッドと、メッセージ入力コントロール・エリアとを含むメッセージング・グラフィカル・ユーザ・インターフェースを提供させ、
前記メッセージ入力コントロール・エリアから第１のメッセージ入力コントロールの選択を検出させ、
前記第１のメッセージ入力コントロールの前記選択に応答して、タッチ・スクリーン・ディスプレイ・キーボードを提供させ、
前記タッチ・スクリーン・ディスプレイ・キーボードを介してメッセージに対するメッセージ入力を受け取らせ、
前記メッセージ入力に応答して、前記メッセージ入力を受け取っている間に、前記通信スレッド内にメッセージ入力要素を提供させ、
前記メッセージ入力を受け取っている間に、前記通信スレッド内の該メッセージ入力要素内にメッセージを登録させる、非一時的コンピュータ可読記憶媒体。
【請求項１９】
前記プロセッサによって実行されるとき、前記コンピュータ・システムに、
前記メッセージ入力を受け取っている間に、増大したサイズのメッセージを収容するように前記メッセージ入力要素をサイズ変更させ、
前記メッセージ入力要素に登録されたメッセージを送信させ、
前記メッセージの送信に応答して、前記通信スレッドに前記メッセージを加えるために前記メッセージ入力要素の特性を変更させるコンピュータ実行可能な命令をさらに含む、請求項１８に記載の非一時的コンピュータ可読記憶媒体。
【請求項２０】
前記プロセッサによって実行されるとき、前記コンピュータ・システムに、
メッセージング入力要素を第１の色から第２の色に変更することによって、前記メッセージ入力要素の前記特性を変更させるコンピュータ実行可能な命令をさらに含む、請求項１９に記載の非一時的コンピュータ可読記憶媒体。